(57)【要約】      （修正有）【課題】市販のビニール製のごみ袋を直接使用してごみ収集ができるダストカートを提供する。【解決手段】カート本体の２つの支持部に、係止部１０を取り付ける。係止部１０は、方形状の枠体と、枠体の相対向する辺部材１１ａ，１１ｂ上にそれぞれ取り付けた棒状部材１２ａ，１２ｂと、各棒状部材１２ａ，１２ｂの両端部に形成したゴムによる滑り止め部１５とからなる係止部１０を取り付ける。市販のビニール製のごみ袋の開口縁部の４個所を、係止部１０の４つの突出部と滑り止め部１５に掛けて係止させるようにする。【選択図】図２
0003138600.tif 000002
【実用新案登録請求の範囲】
【請求項１】
前後に２つの支持部を有するカート本体の該各支持部上に、端部に滑り止め部を形成した係止部を、滑り止め部が外向きに突出するようにして備え、市販のビニール製のごみ袋の開口縁部を上記係止部の滑り止め部に引掛けて係止させるようにした構成を有することを特徴とするダストカート。
【請求項２】
端部に滑り止め部を形成した係止部を、カート本体の各支持部上に固定する２つの辺部材と該２つの辺部材の両端同士を連結する２つの別の辺部材とからなる枠体と、該枠体の上記２つの辺部材の上方に取り付ける棒状部材と、該各棒状部材の両端部に形成してごみ袋の開口縁部を引掛けて係止させるようにした滑り止め部とからなるものとした請求項１記載のダストカート。
【請求項３】
端部に滑り止め部を形成した係止部を、カート本体の各支持部上に直接固定させるようにした棒状部材と、該各棒状部材の両端部に形成してごみ袋の開口縁部を引掛けて係止させるようにした滑り止め部とからなるものとした請求項１記載のダストカート。
【請求項４】
端部に滑り止め部を形成した係止部を、カート本体の各支持部上に直接固定できるようにして端部にごみ袋の開口縁部を引掛けて係止させるようにした引掛け部材に滑り止め部を形成してなるものとした請求項１記載のダストカート。
【考案の詳細な説明】
【技術分野】
【０００１】
本考案は、屋内外に配置される屑入れに廃棄されたごみを収集して搬送するダストカートに関するもので、詳しくは、市販のごみ袋を吊下げ支持させてそのごみ袋内にごみを入れて収集するようにし、ごみ袋が満杯になると取外し別の市販のごみ袋に取り替えて使用できるようにするダストカートに関するものである。
【背景技術】
【０００２】
ダストカートは、脚部にキャスタを取り付けて走行自在としてあるカート本体に、ごみ袋の開口縁部を係止させることにより該ごみ袋を吊下げ支持させ、カート本体の内側に上方を開口させたごみ袋内にごみを投入して収容するようにしたものが従来より一般に使用されている。
【０００３】
図６は従来のダストカートの一例を示すもので、スチール製のパイプを凹形状に折り曲げて両端部にキャスタ３を取り付けてなる２組のフレーム２ａと２ｂを、互いに交差するように嵌め合わせて、側方から見てＸ状とし、上記両フレーム２ａと２ｂの左右の脚部の交差部を、支軸４にてそれぞれ連結して、両フレーム２ａと２ｂが左右の各支軸４を中心に前後方向へ回動できるようにしてある。上記両フレーム２ａと２ｂの各下端部間には、ごみ袋支持台５を取り付けて、両フレーム２ａと２ｂの各上端側の支持部６の対峙間隔を、ごみ袋の開口部の大きさに合わせた寸法とするようにしてある。
【０００４】
上記両フレーム２ａと２ｂの各支持部６には、複数のフック部材７が内側（対向する方向）へ向けて突出するように配設してあり、開口縁部に上記フック部材７に対応する複数の係止用孔が設けてあるごみ袋８を、カート本体１の内側に落し込むように上方から挿入してから、あるいは、挿入しながら、ごみ袋８の開口縁部の各係止用孔をカート本体１の支持部６にある各フック部材７に順次嵌めて係止させ、ごみ袋８の底部をごみ袋支持台５上に載せるようにしてある。
【０００５】
又、上記ごみ袋８としては、繰り返し使用できるように丈夫な布製又はプラスチック製としてあって、開口部の対向する面に、上記フック部材７を掛けるための係止用孔が設けられているものが使用されている（たとえば、特許文献１参照）。
【０００６】
カート本体１の内側にごみ袋８がフック部材７を利用して吊下げ支持されたダストカートを使用するときは、屋内あるいは屋外の複数個所に配置されている屑入れのところを作業員がダストカートを移動させながら巡回し、ごみをごみ袋８内へ収容しながらごみ収集を行い、ごみ袋８が満杯になると、カート本体１からごみ袋８を取外した後、別のごみ袋８に取り替えて、空のごみ袋８を、開口縁部の係止用孔をカート本体１のフック部材７に掛けてカート本体１内に吊下げ支持させ、ごみ収集に使用できるようにする。カート本体１から取外された満杯状態のごみ袋８内のごみは、ごみ収集車でごみ収集ができるように決められたビニール製のごみ袋に移し替える等の作業をするようにしている。
【０００７】
【特許文献１】実用新案登録第３０２９３０３号公報
【考案の開示】
【考案が解決しようとする課題】
【０００８】
ところが、上記特許文献１に記載されているようなダストカートの場合は、カート本体１の各支持部６に設けられているフック部材７に、ごみ袋８の開口縁部に設けてある係止用孔を利用して掛けるようにして吊下げられたごみ袋８が、収容されたごみの荷重で下方へ引張られても、ごみ袋８の開口縁部がカート本体１の支持部６から外れて落ちることがないようにしているために、ごみ袋８は開口縁部に複数の係止用孔が設けてあるもの以外は使用できないのが実状であり、又、かかる係止用孔が設けてあるごみ袋８の各係止用孔を各フック部材７に個々に掛ける手数を要し、ごみ袋８をカート本体１に係止させて取付保持させる作業が面倒であるという問題がある。又、ごみ袋８が、収容されたごみで膨らみ、満杯状態になると、カート本体１から取外すが、この際、ごみ袋８全体は重くなって下方へ引き下げられているため、重くなったごみ袋を持ち上げるようにして各係止用孔をカート本体１のフック部材７から外さなければならず、面倒な操作が必要になっている。
更に、上記のようにしてごみ袋８をカート本体１のフック部材７に係止した状態から取外した後、ごみ袋８をカート本体１の上方へ引き上げようとする場合、ごみ袋８自体は丈夫な材質の素材が用いられていて膨らむと容易に変形し得ないブロック状となることから、カート本体１からの上方への引き抜きが困難になることがある。そのため、カート本体１にごみ袋８を係止した状態のまま、該ごみ袋８に収容されているごみを、前記のように廃棄用のごみ袋に移し替える作業をしているのが実状である。
【０００９】
したがって、従来のダストカート使用の場合は、ごみ袋のカート本体への取付保持やカート本体からの取外しの操作に多くの手数を要し、又、別のごみ袋に移し替える場合の多大な時間を要し、ごみ収集作業が長くなり、作業効率が悪くなるという問題があった。
【００１０】
そこで、本考案は、前記した厚手のごみ袋を開口縁部に設けられた係止用孔をカート本体のフック部材に掛けたり、取外したりするようにしたものの問題点を解消するため、簡単な操作で容易にカート本体へのごみ袋の係止や係止離脱ができるようにして、ごみ収集に要する作業時間の大幅の短縮化と労力の低減が図れるようにするダストカートを提供しようとするものである。
【課題を解決するための手段】
【００１１】
本考案は、上記課題を解決するために、前後に２つの支持部を有するカート本体の該各支持部上に、端部に滑り止め部を形成した係止部を、滑り止め部が外向きに突出するようにして備え、市販のビニール製のごみ袋の開口縁部を上記係止部の滑り止め部に引掛けて係止させるようにした構成とする。
【００１２】
又、上記構成において、端部に滑り止め部を形成した係止部を、カート本体の各支持部上に固定する２つの辺部材と該２つの辺部材の両端同士を連結する２つの別の辺部材とからなる枠体と、該枠体の上記２つの辺部材の上方に取り付ける棒状部材と、該各棒状部材の両端部に形成してごみ袋の開口縁部を引掛けて係止させるようにした滑り止め部とからなるものとしたり、端部に滑り止め部を形成した係止部を、カート本体の各支持部上に直接固定させるようにした棒状部材と、該各棒状部材の両端部に形成してごみ袋の開口縁部を引掛けて係止させるようにした滑り止め部とからなるものとし、更に、端部に滑り止め部を形成した係止部を、カート本体の各支持部上に直接固定できるようにして端部にごみ袋の開口縁部を引掛けて係止させるようにした引掛け部材に滑り止め部を形成してなる構成とする。
【考案の効果】
【００１３】
本考案のダストカートによれば、次の如き優れた効果を奏し得る。  
（１）前後に２つの支持部を有するカート本体の該各支持部上に、端部に滑り止め部を形成した係止部を、滑り止め部が外向きに突出するようにして備え、市販のビニール製のごみ袋の開口縁部を上記係止部の滑り止め部に引掛けて係止させるようにした構成としてあるので、市販のビニール製のごみ袋をそのまま使用でき、該市販のごみ袋の伸縮を利用することにより簡単に端部の滑り止め部に係止して取付保持することができると共に、簡単に端部の滑り止め部からの取外しを行うことができる。これにより市販のごみ袋の取付け、取外しを面倒な操作を一切要することなく短時間に行い得られて、作業時間の大幅な短縮化と作業効率の改善が図れる。  
（２）係止部は、端部に滑り止め部が形成されていて出張るようにしてあるため、市販のごみ袋の伸縮を利用して引掛けるだけでよく、滑り止め部の抵抗と、ごみ袋の縮み力とによって、ごみ袋の開口縁部を確実に係止させて保持させることができる。この際、従来のようにごみ袋の開口縁部に設けてある係止用孔をカート本体のフック部材に掛けて係止させるようなことがないので、上記（１）のように作業時間の短縮が図れる。  
（３）端部に滑り止め部を形成した係止部を、カート本体の各支持部上に固定する２つの辺部材と該２つの辺部材の両端同士を連結する２つの別の辺部材とからなる枠体と、該枠体の上記２つの辺部材の上方に取り付ける棒状部材と、該各棒状部材の両端部に形成してごみ袋の開口縁部を引掛けて係止させるようにした滑り止め部とからなるものとした構成とすることにより、カート本体を特殊な構成のものとすることなく、従来使用されているカート本体をそのまま使用しながら市販のビニール製ごみ袋を直接セットすることができ、枠体のみを用意するだけでよい。  
（４）端部に滑り止め部を形成した係止部を、カート本体の各支持部上に直接固定させるようにした棒状部材と、該各棒状部材の両端部に形成してごみ袋の開口縁部を引掛けて係止させるようにした滑り止め部とからなるものとしたり、端部に滑り止め部を形成した係止部を、カート本体の各支持部上に直接固定できるようにして端部にごみ袋の開口縁部を引掛けて係止させるようにした引掛け部材に滑り止め部を形成してなるものとすることにより、係止部の構成が簡単になり、且つカート本体に取り付けるだけで簡単な構成で且つごみ袋の強固な保持を実現することができる。
【考案を実施するための最良の形態】
【００１４】
以下、図面に基づき本考案を実施するための最良の形態を説明する。
【００１５】
図１（イ）（ロ）（ハ）乃至図３は本考案の実施の一形態を示すもので、図６に示す従来のスチール製のパイプを折り曲げて嵌め合わせてなるカート本体１と同様の２つのフレーム２ａ，２ｂの各支持部６上に両端部を載置して固定するようにした方形状の枠体１１と、該枠体１１の相対向する２つの辺部材１１ａ，１１ｂ上に、該辺部材１１ａ，１１ｂと平行に延びるように配置して複数個所をボルト１３とナット１４により、辺部材１１ａ，１１ｂの上面との間に所要間隔の隙間が形成されるように固定した２つの棒状部材１２ａ，１２ｂと、該各棒状部材１２ａ，１２ｂの両端部に、市販のビニール製のごみ袋１６が滑らないようにゴム１５ａを所要の幅寸法に亘り巻き付けて形成してごみ袋１６の開口縁部を引掛けて係止できるようにした滑り止め部１５とからなり、ごみ袋１６の開口縁部の４個所を係止できるようにした係止部１０を構成し、該係止部１０を上記支持部６上に取り付けてなるカート本体９として、市販のビニール製のごみ袋１６を直接保持させて使用できるようにする。
【００１６】
詳述すると、上記枠体１１は、カート本体９の両支持部６の長さ及び両支持部６の対峙間隔に合わせて所要の幅寸法として２枚のプレート状の辺部材１１ａ，１１ｂと、該辺部材１１ａ，１１ｂよりも狭幅で且つ上下方向の厚み寸法を大きくするようにした２枚のプレート状の辺部材１１ｃ，１１ｄとを、平面的に方形状となるように組み合わせて固定し、一体構造とする。上記枠体１１を構成する２つの相対向する辺部材１１ａと１１ｂには、前記したように、両端部にゴム１５ａを巻きつけてビニール製ごみ袋１６の滑り止め部１５とするようにしてある所要長さの棒状部材１２ａ，１２ｂを、所要の高さに平行に取り付けて、上記両端部の滑り止め部１５にごみ袋１６の開口縁部が引掛けられて係止されるように辺部材１１ａ，１１ｂ上に所要の隙間を形成させるようにする。
【００１７】
更に、上面に棒状部材１２ａ，１２ｂを有する上記辺部材１１ａ，１１ｂは、図２、図３に示す如くカート本体９の２つの支持部６上に載置し、該辺部材１１ａ，１１ｂを支持部６に固縛するか、あるいは、図６に示す支持部６のようにフック部材がある場合は、そのフック部材を辺部材１１ａ，１１ｂに貫通させて、該辺部材１１ａ，１１ｂとフック部材とを結合することによって固定させるようにする。
【００１８】
更に又、上記カート本体９の辺部材１１ｃと１１ｄの各外側面には、フック部材１７を複数個所に取り付けて、任意の付属物を吊下げて搬送できるようにすると共に、カート本体９の底部には、プレート状の支持台１８を取り付けて、ごみ袋１６の底部が載置されるようにする。１９はキャスタである。
【００１９】
本考案のダストカートは、上記構成としてあり、ごみ袋１６としては、ビニール製の袋で且つ多少の伸縮性を有する市販のものを使用するようにする。
【００２０】
先ず、市販のビニール製のごみ袋１６を、本考案におけるカート本体９に取付けて使用するときは、当該ごみ袋１６の底部側を枠体１１の内側へ入れた後、上端側となる開口縁部の一部分を、一方の辺部材、すなわち、移動方向の前側となる。たとえば、辺部材１１ｂ又は１１ａ上の棒状部材１２ｂ又は１２ａに、内側から外側へ折り曲げるように掛けながら、該棒状部材１２ｂ又は１２ａの両端部に引掛けるようにする。次いで、上記ごみ袋１６の開口縁部の反対側を引張って、他方の辺部材、たとえば手前側の辺部材１１ａ又は１１ｂ上の棒状部材１２ａ又は１２ｂに内側から外側へ折り曲げるようにして掛ける。これにより棒状部材１２ａ又は１２ｂの両端部へはごみ袋１６の伸びを利用して引掛けることになる。引掛け終ると、ごみ袋１６の伸縮性による収縮力によりごみ袋１６は２本の棒状部材１２ａ，１２ｂの各両端部にそれぞれ係止される。これにより、ごみ袋１６の開口縁部は、図３に示す如く、４個所が、カート本体９の各支持部６上の棒状部材１２ａと１２ｂの両端部に張力が加えられた状態で係止させられて保持されることになる。この際、各棒状部材１２ａ，１２ｂ両端部のゴム１５ａによる滑り止め部１５の抵抗とごみ袋１６の収縮力とによりごみ袋１６の開口縁部は滑ることなく棒状部材１２ａ，１２ｂの両端部に確実に保持され、ごみ袋１６内にごみが収容されてごみ袋１６が重くなっても、ごみ袋１６が滑り落ちることなく係止状態が保持されることになる。
【００２１】
上記において、棒状部材１２ａ，１２ｂの両端部は、辺部材１１ａ，１１ｂの上面との間に隙間が形成されていて且つ左右方向の外向きに突出するようにしてあって、この突出部分にゴム１５ａによる滑り止め部１５がある構成としてあることから、ごみ袋１６の開口縁部を棒状部材１２ａ，１２ｂの両端部に容易に引張って係止させることができると同時に、各棒状部材１２ａ，１２ｂの両端部に巻き付けてあるゴム１５ａの滑り止め部１５による摩擦抵抗と、ごみ袋１６の伸縮性を利用したごみ袋１６の縮む力で棒状部材１２ａ，１２ｂの両端部に係止されることから、ごみ袋１６は簡単に且つ確実に保持されることになる。
【００２２】
上記のように市販のビニール製ごみ袋１６の開口縁部が、２本の棒状部材１２ａと１２ｂの各両端部の突出部分の４個所に張力を付与されて引掛けられて保持されて、ごみ袋１６がカート本体９内に吊下げられた状態になると、カート本体９を移動させてごみ収集作業を行い、屑入れに投入されているごみを上記ごみ袋１６に収容させるようにする。
【００２３】
上記ごみ袋１６は、従来のダストカートに用いられていたごみ袋と異なり、市販のビニール製のごみ袋であるため、ごみが収容されると、ごみが収容された状態のまま廃棄することが可能であり、ごみ収集車によるごみ収集日にそのまま廃棄することが可能である。
【００２４】
本考案のダストカートのごみ袋１６内が収容されたごみで満杯状態になってごみ袋１６をカート本体９が取外すときは、前記ごみ袋１６を２本の棒状部材１２ａ，１２ｂの両端部に引掛けて保持したときの逆の操作で行えばよい。すなわち、ごみ袋１６をカート本体９から取外すときは、片方の棒状部材１２ａ又は１２ｂの両端部の突出部分に引掛けて係止してあるごみ袋１６の開口縁部を左右に引張るようにして、上記突出部分から取り外す。この際、ごみ袋１６の開口縁部は伸縮性があるので、僅かに引張ることにより伸びるので、簡単に取外すことができる。このようにして、片方の棒状部材１２ａ又は１２ｂからごみ袋１６の開口縁部が取外されると、次に、ごみ袋１６の開口縁部を反対側の棒状部材１２ｂ又は１２ａの方へ移動させて張力を緩めると共に、該棒状部材１２ｂ又は１２ａの両端部に係止されている開口縁部を引張って取外すようにする。これにより、市販のビニール製のごみ袋１６がカート本体９から取外されると、カート本体９の支持台１８上から横方向へごみ袋１６を引き出すことにより、容易にごみ収容のごみ袋１６をカート本体９の外へ取出すことができる。
【００２５】
新しい市販のビニール製ごみ袋１６をカート本体９に装着するときは、前記したと同様の手順で２本の棒状部材１２ａ，１２ｂの各両端部の合計４つの突出部分に、ごみ袋１６の伸縮を利用して係止させ、且つ上記４つの突出部分へのゴム１５ａの巻付けによる滑り止め部１５で滑り止めさせることにより取付保持させるようにする。
【００２６】
次に、図４は本考案の実施の他の形態を示すもので、図１（イ）（ロ）（ハ）乃至図３に示した実施の形態において、両端部にゴム１５ａを巻付けてなる滑り止め部１５を備えた２本の棒状部材１２ａ，１２ｂを、枠体１１の相対向する辺部材１１ａ，１１ｂの上方に所要間隔を隔てて取り付けるようにした構成の係止部１０に代えて、両端部に滑り止め部１５を形成した２本の棒状部材１２ａ，１２ｂからなる係止部２０とし、カート本体９の各支持部６にボルト１３及びナット１４で直接取り付けるようにしたものであり、その他の構成は、図１（イ）（ロ）（ハ）乃至図３に示したものと同じであり、同一のものには同一符号が付してある。
【００２７】
この実施の形態によれば、枠体１１を構成する手数を省くことができるという利点を有するほかは、図１（イ）（ロ）（ハ）乃至図３に示したものと同様の作用効果が得られる。
【００２８】
又、図５は、本考案の実施の更に他の形態を示すもので、図４に示す実施の形態の変形例として、２本の棒状部材１２ａ，１２ｂの各々の中央部分をなくして両端部分のみとして各端部に滑り止め部１５を形成した係止部２１としたものである。すなわち、端部にゴム１５ａを巻付けてなる滑り止め部１５を有する引掛け部材２２ａ，２２ｂを、カート本体９の２つの支持部６の左右両端部に、滑り止め部１５が外側に突出するような姿勢で配置して、各引掛け部材２２ａ，２２ｂを、ボルト１３及びナット１４により固定し、各滑り止め部１５が支持部６上に所要の隙間を有するようにしたものである。
【００２９】
その他の構成は、図４に示すものと同じである。
【００３０】
この実施の形態によれば、前記各実施の形態と同様の作用効果が得られるほか、ごみ袋の引掛け部のみで部材の使用量が少なく構成が簡略化するという利点がある。
【００３１】
なお、本考案は、上記実施の形態のものに限定されるものではなく、たとえば図１（イ）（ロ）（ハ）乃至図３に示す実施の形態では、枠体１１の２つの辺部材１１ａ，１１ｂ上に棒状部材１２ａ，１２ｂを取り付けた構成のものを、カート本体９における支持部６上に固定するようにした場合を示し、且つ別の２つの辺部材１１ｃ，１１ｄの外側面にフック部材１７を取り付けて、必要なものをフック部材１７に掛けて吊下げられるようにしてある場合が示してあるが、上記辺部材１１ｃ，１１ｄを備えている方が便利であるという利点を有するが省略するようにしてもよいこと、滑り止め部１５をゴム１５ａを巻付けることで形成する場合を示したが、ごみ袋１６の滑りを止めるような摩擦抵抗が大きいものであれば、ゴム以外のものでもよいこと、その他本考案の要旨を逸脱しない範囲内で種々変更を加え得ることは勿論である。
【図面の簡単な説明】
【００３２】
【図１】本考案のダストカートの実施の一形態を示すもので、（イ）は平面図、（ロ）は要部の正面図、（ハ）は要部の側面図である。
【図２】図１に示す本考案のダストカートの実施の一形態を斜め上方から見たときの斜視図である。
【図３】図１に示す本考案のダストカートの実施の一形態に市販のごみ袋を装着した状態を示す斜視図である。
【図４】本考案のダストカートの実施の他の形態を示す要部の正面図である。
【図５】本考案のダストカートの実施の更に他の形態を示す要部の正面図である。
【図６】従来のダストカートの一例を示す斜視図である。
【符号の説明】
【００３３】
６  支持部
９  カート本体
１０  係止部
１１  枠体
１１ａ，１１ｂ  辺部材
１１ｃ，１１ｄ  辺部材
１２ａ，１２ｂ  棒状部材
１５  滑り止め部
１５ａ  ゴム
１６  ごみ袋
２０  係止部
２１  係止部
２２ａ，２２ｂ  引掛け部材
【図１】
0003138600.tif 000003
【図２】
0003138600.tif 000004
【図３】
0003138600.tif 000005
【図４】
0003138600.tif 000006
【図５】
0003138600.tif 000007
【図６】
0003138600.tif 000008